(57)【特許請求の範囲】
【請求項１】
四隅の柱の上下端を天井梁および床梁で連結して直方体状に形成された通常のフレームから柱が一本省略された大空間用フレームを有する複数の大空間用建物ユニットを備え、これらの大空間用建物ユニットの前記柱が省略された角隅部を寄せ合わせた状態で、前記複数の大空間用建物ユニットが配置され、前記柱が省略された前記角隅部を補強する補強梁が設けられたユニット式建物であって、
前記補強梁は、前記大空間用建物ユニットの角隅部に応じた位置に形成されたスリットを有し、このスリットは、前記補強梁の長手方向に沿って延びるとともに、内部に前記大空間用建物ユニット同士を連結する連結部材が挿通され、この連結部材は、前記補強梁に対して水平方向に移動可能となっていることを特徴とするユニット式建物。
【請求項２】
請求項１に記載のユニット式建物において、前記連結部材には、隣接する大空間用建物ユニットの角隅部の上面に設けられた位置決めピンを挿通させる位置決め孔が形成されていることを特徴とするユニット式建物。
【請求項３】
請求項２に記載のユニット式建物において、前記連結部材は、建物ユニット同士を連結する通常のシアプレートをそのまま流用したものであることを特徴とするユニット式建物。
【請求項４】
請求項１ないし請求項３のいずれかに記載のユニット式建物において、前記補強梁の側面には、前記連結部材を下方から支持するスチフナが設けられていることを特徴とするユニット式建物。
【請求項５】
請求項４に記載のユニット式建物において、前記スチフナは、前記補強梁の側面および前記スリットに挿通された前記連結部材の下面のいずれにも交差する方向に沿って延びる平板材であり、前記スチフナの上端縁が前記連結部材の下面に当接していることを特徴とするユニット式建物。
【請求項６】
請求項４または請求項５に記載のユニット式建物において、前記スチフナは、その上端縁の高さレベルが前記補強梁のスリットの下端縁と同一高さレベルとされていることを特徴とするユニット式建物。
【発明の詳細な説明】
【０００１】
【発明の属する技術分野】
本発明は、四本の柱のうちの一本が省略されたフレームを有する箱状の建物ユニットを複数備え、その内部に、柱のない大空間を形成するために補強梁が設けられたユニット式建物に関する。
【０００２】
【背景技術】
従来より、工場で製造した箱状の建物ユニットを、建築現場で複数組合わせて建築されるユニット式建物が利用されている。
ユニット式建物を形成する建物ユニットとしては、四隅の柱の上下端に天井梁および床梁で連結した直方体状のフレームを有するものが一般的である。
建物ユニットのフレームには、天井梁に支持される天井面材、床梁に支持される床面材および部屋を仕切る間仕切壁等の内装材や、軽量気泡コンクリート等で形成された外壁等が工場で組付けられる。
このようなユニット式建物によれば、工場において、建物ユニットに対して内装材や外壁材の組付作業まで工場で行い、後は、建物ユニットの接合作業を行うだけで、建物が完成するようになるので、建築現場での作業が大幅に削減され、建築工事を短期間で完了できるというメリットが得られる。
【０００３】
このようなユニット式建物では、その内部に、例えば広い居間等のような柱のない大空間を形成するために、建物ユニットのフレームに設けられた四本の柱のうちの一つを省略する場合がある。
この際、一の柱を省略すると、当該建物ユニットの剛性が低下し、上方に載置される建物ユニット等の荷重を支持しきれなくなる。このため、当該柱が省略された部分を挟んでその両側に配置される柱の間には、剛性を補うために、通常の２スパン分の長さを有する補強梁が設けられている（特開平８−２７７５８０号公報等参照）。
【０００４】
ところで、ユニット式建物を建築する際には、隣接した建物ユニット同士を連結する必要がある。建物ユニット同士の連結には、近接配置される角隅部の上面に突設された位置決めピンと、これらの位置決めピンに対応した孔が形成された一枚の金属板（以下、「シアプレート」という。）とが利用されている。
ここで、ユニット式建物の内部に柱のない大空間を形成する場合に、大空間用建物ユニット同士を連結するのにも、シアプレートを利用したいが、補強梁とシアプレートとが同じ空間を占有するので、両者を同時に設けることができず、大空間用建物ユニットの連結には、シアプレートの利用が困難である。
そこで、シアプレートと同様に、位置決め孔を有する板状の部材を補強梁の側面に溶接等で固定することが考えられる。
【０００５】
【発明が解決しようとする課題】
このような補強梁を利用して大空間用建物ユニット同士を連結する場合、補強梁の両側面に固定された連結部材が、当該補強梁の幅方向における取付位置に誤差があると、補強梁および柱の位置を一致させると、連結部材および柱の位置がずれてしまい、逆に、連結部材および柱の位置が一致させると、補強梁および柱の位置がずれてしまうので、大空間用建物ユニット同士の連結作業が困難となるという問題がある。
また、補強梁に複数の連結部材が固定されるため、そのうちの一の連結部材が補強梁の長手方向における取付位置に誤差があると、他の連結部材との間の寸法が変動してしまい、一の連結部材の位置決め孔に位置決めピンを挿入すると、他の連結部材は、位置決め孔に位置決めピンを挿入することができず、この点でも、大空間用建物ユニット同士の連結が困難となるという問題がある。
このため、連結部材や補強梁を製作する際に、加工精度を向上しなければならず、製作が面倒となり、生産性が低下してしまうという問題もある。
【０００６】
本発明の目的は、大空間用建物ユニット同士の連結が容易に行えるようになるとともに、連結部材や補強梁の生産性の低下が防止されるようになるユニット式建物を提供することにある。
【０００７】
【課題を解決するための手段】
本発明は、図面をも参照して説明すると、四隅の柱41の上下端を天井梁42および床梁43で連結した直方体状に形成された通常のフレーム40から柱51が一本省略された大空間用フレーム50を有する複数の大空間用建物ユニット20B を備え、これらの大空間用建物ユニット20B の前記柱51が省略された角隅部20D を寄せ合わせた状態で、前記複数の大空間用建物ユニット20B が配置され、前記柱51が省略された前記角隅部20D を補強する補強梁70が設けられたユニット式建物10であって、当該補強梁70には、前記大空間用建物ユニット20B の角隅部20C，20D に応じて、当該補強梁70の長手方向に沿って延びるスリット71B が形成され、このスリット71B には、前記大空間用建物ユニット20B 同士を連結する連結部材72が挿通され、この連結部材72は、前記補強梁70に対して水平方向に移動可能となっていることを特徴とする。
このような本発明では、連結部材72を補強梁70に対して水平移動可能としたので、補強梁70に連結部材を固定する場合と異なり、連結部材72同士は、互いにその位置を束縛し合わず、同様に、連結部材72と補強梁70とは、互いにその位置を束縛し合わないようになり、連結作業を行うにあたり、水平方向については、連結部材72同士ならびに連結部材72と補強梁70とが互いの位置を自由に変更可能となり、連結部材72による大空間用建物ユニット20B 同士の連結作業が容易となる。
また、連結部材72同士ならびに連結部材72および補強梁70は、自由に互いの位置を変更できるので、連結部材72で大空間用建物ユニット20B 同士を連結するにあたり、連結部材72同士の寸法精度ならびに連結部材72および補強梁70の寸法精度が何ら関係なくなり、加工精度の問題が完全に解消され、連結部材72および補強梁70の生産性の低下が防止されるようになる。
【０００８】
以上において、前記連結部材72には、隣接する大空間用建物ユニット20B の角隅部の上面に設けられた位置決めピン54C を挿通させる位置決め孔72A が形成されていることが望ましい。
このようにすれば、大空間用建物ユニット20B の位置決めピン54C を連結部材72の位置決め孔72A に挿通させることにより、大空間用建物ユニット20B 同士の連結が行えるようになり、連結部材72が挿入される補強梁70でも、従来の建物ユニット20A，20B，30A の連結構造を何ら変更することがなくなり、建物ユニット20A，20B，30A の製造効率が損なわれない。
【０００９】
また、前記連結部材72は、建物ユニット20A 同士を連結する通常のシアプレートをそのまま流用したものであることが望ましい。
このようにすれば、建物ユニット20A を連結する通常のシアプレートを連結部材72として利用可能なので、従来の建物ユニット20A，20Bの連結構造を何ら変更する必要がなくなるうえ、補強梁70専用の連結部材72を別途製造する必要がなくなり、建物ユニット20A，20Bおよび連結部材72の製造効率が損なわれない。
【００１０】
さらに、前記補強梁70の側面には、前記連結部材72を下方から支持するスチフナ73が設けられていることが望ましい。
このようにすれば、連結部材72の水平方向の剛性が確保されるようになるので、補強梁70に加わる鉛直荷重を連結部材72に支持させても、当該鉛直荷重により連結部材72が撓むことがなく、下階の柱を省略しても、大空間用建物ユニット20B の上に載置される上階建物ユニット30A の床が撓むことがない。
【００１１】
また、前記スチフナ73は、前記補強梁70の側面および前記スリット71B に挿通された前記連結部材72の下面のいずれにも交差する方向に沿って延びる平板材であり、前記スチフナ73の上端縁が前記連結部材72の下面に当接していることが望ましい。
このようなスチフナ73を平板材から形成し、スチフナ73の端部を補強梁70の側面に固定し、当該スチフナ73の上端で連結部材72を支持するようにすれば、補強梁70に加わる鉛直荷重により連結部材72が撓むことがなくなる。
これにより、平板材から形成されたスチフナ73を用いることで、補強梁70の補強構造を複雑とすることなく、連結部材72を充分に補強できるようになる。
【００１２】
さらに、前記スチフナ73は、その上端縁の高さレベルが前記補強梁70のスリット71B の下端縁と同一高さレベルとされていることが望ましい。
このようにすれば、スチフナ73の上端がスリット71B に挿通される連結部材72の下面と当接するようになるので、スチフナ73が連結部材72の補強材となり、補強梁70に加わる鉛直荷重により連結部材72が撓むことがなくなり、連結部材72を充分に補強できるようになる。
【００１３】
【発明の実施の形態】
以下、本発明の実施の一形態を図面に基づいて説明する。
図１には、本実施形態に係るユニット式建物10が示されている。このユニット式建物10は、基礎11の上に形成される建物本体12と、この建物本体12の上に形成される屋根13とを備えたものである。
このうち、建物本体12は、箱状に形成された建物ユニット20，30を複数組合わせて形成されたものである。
【００１４】
ユニット式建物10の一階部分には、下階建物ユニットである建物ユニット20A，20B が設けられている。
詳しくは、ユニット式建物10の一階部分は、図２に示されるように、建物本体12の外周縁に沿ってＬ字形状に配置された５個の建物ユニット20A と、当該建物ユニット20A が形成するＬ字の入隅部分に配置された４個の建物ユニット20B とで形成されている。
図１に戻って、ユニット式建物10の二階部分には、上階建物ユニットである建物ユニット30A が設けられている。
【００１５】
このうち、下階建物ユニット20A および上階建物ユニット30A は、図３に示されるように、四隅の柱41の上下端を連結する天井梁42および床梁43を有する直方体状のフレーム40を有する通常の建物ユニットである。
このうち、柱41、天井梁42および床梁43は、それぞれ接合部材44を介して連結されている。
なお、接合部材44としては、柱41の柱頭側に配置される柱頭接合部材44A および柱41の柱脚側に配置される柱脚接合部材44B が設けられている。
柱脚接合部材44B には、水平方向に隣接配置された建物ユニット20B の位置を決定するための位置決めピン54C が挿入される位置決め孔（図示省略）と、隣接配置された建物ユニット20B，30A同士を相互に連結するためのボルト・ナットからなる締結具81が挿通される挿通孔44C とが形成されている（図６参照）。
フレーム40の天井梁42としては、長さの異なる短辺天井梁42A および長辺天井梁42B の二種類が設けられ、フレーム40の床梁43としては、長さの異なる短辺床梁43A および長辺床梁43B の二種類が設けられている。
対向する長辺天井梁42B の間には、図示しない、天井面材を支持するために天井小梁が架け渡され、また、対向する長辺床梁43B の間には、図示しない、床を形成する床面材を支持するために複数の根太が架け渡されている。
【００１６】
一方、図２において、一点鎖線のハッチングで示される４個の大空間用建物ユニット20B は、図４に示されるように、各々の一つの角隅部20D 同士が寄せ合わされた状態で隣接配置されている。
建物ユニット20B は、通常の下階建物ユニット20A のフレーム40から柱51が一本省略され、つまり、寄せ合わされた角隅部20D の柱51が省略され、三本の柱51を有する略直方体状の大空間用フレーム50を備えた大空間用建物ユニットとなっている。
これにより、４個の建物ユニット20B の中心部分には、天井と床との間に柱51等の突出物が何ら存在しない広い大空間60が形成される。
大空間用建物ユニット20B の柱51、天井梁52および床梁53は、それぞれ接合部材54を介して連結されている。
なお、接合部材54としては、柱51の柱頭側に配置される柱頭接合部材54A および柱51の柱脚側に配置される柱脚接合部材54B が設けられている。
柱頭接合部材54A には、水平方向に隣接配置された建物ユニット20B の位置を決定するための位置決めピン54C と、隣接配置された建物ユニット20B，30A同士を相互に連結するためのボルト・ナットからなる締結具81が挿通される挿通孔54D とが形成されている（図６参照）。
【００１７】
また、建物ユニット20B の柱51、天井梁52および床梁53は、建物ユニット20A,，30A と同様に、それぞれ接合部材54を介して連結されている。
大空間用フレーム50の天井梁52としては、長さの異なる短辺天井梁52A および長辺天井梁52B の二種類が設けられ、大空間用フレーム50の床梁53としては、長さの異なる短辺床梁53A および長辺床梁53B の二種類が設けられている。
このような柱51が省略された角隅部20D 同士が寄せ合わされた状態で隣接配置された４個の大空間用建物ユニット20B は、当該寄せ合わされた角隅部20D を間においたその両側の角隅部20C に配置される柱51の上端が補強梁70で連結されている。
【００１８】
補強梁70は、大空間用建物ユニット20B の柱51が省略された天井梁52A を補強するためのものであり、当該大空間用建物ユニット20B の短辺方向に沿って延びる筒状部材である。この補強梁70は、その長さ寸法Ｌが大空間用建物ユニット20B の短辺方向の長さ寸法ａの二倍の寸法と同一寸法となった長尺の部材となっている。
【００１９】
補強梁70は、図５に示されるように、断面が細長い長方形状に形成されるとともに、継目のない長尺部材で一体成形されている。
補強梁70の下端側には、空調機等の配管を挿通するための挿通孔71A が所定の間隔をあけて複数形成されている。
また、補強梁70には、当該補強梁70の長手方向に沿って水平に延びるスリット71B が複数設けられている。これらのスリット71B は、大空間用建物ユニット20B の角隅部20D およびこの角隅部20D の両側の角隅部20C に対応した位置にそれぞれ形成されている。
各スリット71B には、隣接する大空間用建物ユニット20B 同士を連結する連結部材72が挿通されるようになっている。
この際、スリット71B の長さ寸法Ｂは、連結部材72の長さ寸法Ａよりも大きくなっている。
これにより、連結部材72は、補強梁70の長手方向に移動可能となっている。
【００２０】
補強梁70の梁成Ｈは、図７に示されるように、上階建物ユニット30A の床梁43A の上面から大空間用建物ユニット20B の天井梁52A の下面までの間に納まる寸法となっている。
ここで、補強梁70は、その上面が床梁43A の上面から上方へ突出せず、その下面が天井梁52A から下方へ突出しないので、床梁43A の上面に載置される床面材は、他の建物ユニット30A の床面材と同一高さレベルとなっているとともに、天井梁52A の下面に設けられる天井面材は、他の建物ユニット20A の天井面材と同一高さレベルとなっている。
また、補強梁70の幅寸法Ｗは、隣接する大空間用建物ユニット20B の間に形成される隙間とほぼ同一となっている。
【００２１】
図５に戻って、連結部材72は、平板材から形成されたものである。連結部材72は、スリット71B に挿通され、かつ、補強梁70の両側面から突出している。
連結部材72は、補強梁70に対して当該補強梁70の幅方向にも移動可能となっている。
連結部材72には、図６に示されるように、大空間用建物ユニット20B の柱頭接合部材54A の上面に設けられた複数の位置決めピン54C が挿通される複数の位置決め孔72A と、大空間用建物ユニット20B およびこの大空間用建物ユニット20B の上に載置される上階建物ユニット30A とを相互に連結する締結具81を挿通するための挿通孔72B とが形成されている。
ここで、連結部材72は、下階建物ユニット20A および上階建物ユニット30A を相互に連結する通常のシアプレートとなっている。この連結部材72の厚さ寸法は、通常のシアプレートの厚さ寸法と同一となっている。
【００２２】
補強梁70の側面には、連結部材72を下方から支持するスチフナ73が設けられている。このスチフナ73は、補強梁70の側面および連結部材72の下面のいずれにも交差する方向に沿って延びる平板材であり、大空間用建物ユニット20B の角隅部20D に対応した位置に配置されている。このスチフナ73は、補強梁70の側面に溶接により接合されている。
スチフナ73の上端縁の高さレベルは、補強梁70に形成されたスリット71B の下端縁と同一となっている。
また、スチフナ73の上端縁は、連結部材72の下面に当接している。
【００２３】
このような隣接配置された大空間用建物ユニット20B の四本の天井梁52A は、隣接配置された上階建物ユニット30A の四本の床梁43A とともに、上階建物ユニット30A 側から、上階建物ユニット30A の柱脚接合部材44B 、連結部材72、大空間用建物ユニット20B の柱頭接合部材54A を貫通する締結具81により、相互に連結されている。
特に、四本の天井梁52A の寄せ集められた部分は、補強梁70の中央部分、すなわち、角隅部20D の上方部分において、四つの締結具81で接合され、強固に一体化されている。
なお、建物ユニット20B の角隅部20D には、輸送治具である仮柱80が着脱可能に設けられ、輸送時においては、床梁53A，53Bの連結部分である柱脚接合部材54B と、天井梁52A，52Bの連結部分である柱頭接合部材54A とが連結されるようになっている。
【００２４】
次に、柱51等の突出物が何ら存在しない広い大空間60の形成手順を説明する。
まず、工場で建物ユニット20，30および補強梁70を製作した後、建築現場に搬送する。建物ユニット20，30および補強梁70の製作の際、搬送時の建物ユニット20B の変形を防止するために、角隅部20D に仮柱80を設けておく。
そして、これらの建物ユニット20B を、図８に示されるように、平面視で隣接配置し、隣接する短辺天井梁52A の間に形成される隙間に補強梁70を挿入する。
【００２５】
この際、角隅部20D および角隅部20D の両側の角隅部20C において、図６に示したように、隣接配置された大空間用建物ユニット20B の位置決めピン54C を連結部材72の位置決め孔72A に挿入することにより、当該大空間用建物ユニット20B を位置決めする。
【００２６】
その後、図９に示されるように、上階建物ユニット30A を大空間用建物ユニット20B の上に載置する。
これにより、隣接する短辺床梁43A の間には、補強梁70が配置される。
そして、締結具81で連結することにより一体化させる。この後、仮柱80を取外すと、天井および床との間に柱51等の突出物が何ら存在しない広い大空間60が形成される。
【００２７】
このような本実施形態によれば、次のような効果がある。
すなわち、連結部材72を補強梁70に対して水平移動可能としたので、補強梁70に連結部材を固定する場合と異なり、連結部材72同士は、互いにその位置を束縛し合わず、同様に、連結部材72と補強梁70とは、互いにその位置を束縛し合わないようになり、連結作業を行うにあたり、水平方向については、連結部材72同士ならびに連結部材72と補強梁70とが互いの位置を自由に変更可能となり、連結部材72で大空間用建物ユニット20B 同士を容易に連結できる。
また、連結部材72同士ならびに連結部材72および補強梁70は、自由に互いの位置を変更できるので、連結部材72で大空間用建物ユニット20B 同士を連結するにあたり、連結部材72同士の寸法精度ならびに連結部材72および補強梁70の寸法精度が何ら関係なくなり、加工精度の問題が完全に解消され、連結部材72および補強梁70の生産性の低下を防止できる。
【００２８】
また、連結部材72に隣接する大空間用建物ユニット20B の柱頭接合部材54Aの上面に設けられた位置決めピン54C を挿通させる位置決め孔72A を形成したので、大空間用建物ユニット20B の位置決めピン54C を連結部材72の位置決め孔72A に挿通させることにより、大空間用建物ユニット20B 同士の連結が行えるようになり、連結部材72が挿入される補強梁70でも、従来の建物ユニット20A，20B，30A の連結構造を何ら変更することがなくなり、建物ユニット20A，20B，30A の製造効率が損なわれない。
【００２９】
また、連結部材72は、建物ユニット20A 同士を連結する通常のシアプレートと同一としたので、建物ユニット20A を連結する通常のシアプレートを連結部材72として利用でき、従来の建物ユニット20A，20Bの連結構造を何ら変更する必要がなくなるうえ、補強梁70専用の連結部材72を別途製造する必要がなくなり、建物ユニット20A，20Bおよび連結部材72の製造効率が損なわれない。
【００３０】
また、スチフナ73を平板材から形成し、スチフナ73の端部を補強梁70の側面に固定し、当該スチフナ73の上端で連結部材72を支持したので、補強梁70に加わる鉛直荷重により連結部材72が撓むことがなくなり、平板材から形成されたスチフナ73を用いることで、補強梁70の補強構造を複雑とすることなく、連結部材72を充分に補強できるようになる。
【００３１】
さらに、スチフナ73を、その上端縁が連結部材72の下面に当接するように設けたので、連結部材72の水平方向の剛性が確保されるようになり、補強梁70に加わる鉛直荷重を連結部材72に支持させても、当該鉛直荷重により連結部材72が撓むことがなく、下階の柱を省略しても、大空間用建物ユニット20B の上に載置される上階建物ユニット30A の床が撓むことがない。
【００３２】
なお、本発明は前記実施形態に限定されるものではなく、本発明の目的を達成できる他の構成等を含み、以下に示すような変形などを含むものである。
すなわち、補強梁としては、筒状に形成された長尺材に限らず、板状に形成された長尺材でもよい。
また、補強梁としては、一つの角隅部20D 同士が寄せ合わされた状態で隣接配置された四つの大空間用建物ユニット20B を補強するものに限らず、図１０に示されるように、長辺側が接するように配置されるとともに、短辺側に建物ユニット20E が配置された二つの大空間用建物ユニット20B を補強するものでもよい。
さらに、補強梁の長さ寸法Ｌとしては、大空間用建物ユニット20B の短辺側の長さ寸法ａの二倍と同一寸法となったものに限らず、大空間用建物ユニット20B の長さ寸法ａの二倍の寸法よりも小さい寸法でもよい。
この際、補強梁の両端に配置された連結部材は、それぞれ大空間用建物ユニットの天井梁の上面に載置され、ボルト等で接合されていることが望ましい。
【００３３】
【発明の効果】
本発明のユニット式建物によれば、次のような効果が得られる。
すなわち、請求項１に記載のユニット式建物によれば、連結部材を補強梁に対して水平移動可能としたので、補強梁に連結部材を固定する場合と異なり、連結部材同士は、互いにその位置を束縛し合わず、同様に、連結部材と補強梁とは、互いにその位置を束縛し合わないようになり、連結作業を行うにあたり、水平方向については、連結部材同士ならびに連結部材と補強梁とが互いの位置を自由に変更可能となり、連結部材による大空間用建物ユニット同士の連結作業を容易に行うことができる。
また、連結部材同士ならびに連結部材および補強梁は、自由に互いの位置を変更できるので、連結部材で大空間用建物ユニット同士を連結するにあたり、連結部材同士の寸法精度ならびに連結部材および補強梁の寸法精度が何ら関係なくなり、加工精度の問題が完全に解消され、連結部材および補強梁の生産性の低下を防止できる。
【００３４】
また、請求項２に記載のユニット式建物によれば、大空間用建物ユニットの位置決めピンを連結部材の位置決め孔に挿通させることにより、大空間用建物ユニット同士の連結が行えるようになり、連結部材が挿入される補強梁でも、従来の建物ユニットの連結構造を何ら変更することがなくなり、建物ユニットの製造効率が損なわれない。
【００３５】
さらに、請求項３に記載のユニット式建物によれば、建物ユニットを連結する通常のシアプレートを連結部材として利用可能なので、従来の建物ユニットの連結構造を何ら変更する必要がなくなるうえ、補強梁専用の連結部材を別途製造する必要がなくなり、建物ユニットおよび連結部材の製造効率が損なわれない。
【００３６】
また、請求項４に記載のユニット式建物によれば、連結部材の水平方向の剛性が確保されるようになるので、補強梁に加わる鉛直荷重を連結部材に支持させても、当該鉛直荷重により連結部材が撓むことがなく、下階の柱を省略しても、大空間用建物ユニットの上に載置される上階建物ユニットの床が撓むことがない。
【００３７】
さらに、請求項５に記載のユニット式建物によれば、このようなスチフナを平板材から形成し、スチフナの端部を補強梁の側面に固定し、当該スチフナの上端で連結部材を支持するようにすれば、補強梁に加わる鉛直荷重により連結部材が撓むことがなくなる。
これにより、平板材から形成されたスチフナを用いることで、補強梁の補強構造を複雑とすることなく、連結部材を充分に補強できる。
【００３８】
また、請求項６に記載のユニット式建物によれば、スチフナの上端がスリットに挿通される連結部材の下面と当接するようになるので、スチフナが連結部材の補強材となり、補強梁に加わる鉛直荷重により連結部材が撓むことがなくなり、連結部材を充分に補強できる。
【図面の簡単な説明】
【図１】本発明の一実施形態に係るユニット式建物を示す全体斜視図である。
【図２】前記実施形態に係る一階部分の概略平面図である。
【図３】前記実施形態に係る建物ユニットのフレームを示す斜視図である。
【図４】前記実施形態に係る大空間用建物ユニットを示す分解斜視図である。
【図５】前記実施形態に係る補強梁を示す分解斜視図である。
【図６】前記実施形態に係る建物ユニットの接合部分を示す分解斜視図である。
【図７】前記実施形態に係る建物ユニットの接合部分を示す断面図である。
【図８】前記実施形態に係る大空間用建物ユニットの設置方法を説明するための図である。
【図９】前記実施形態に係る建物ユニットの接合方法を説明するための図である。
【図１０】本発明の変形例を示す概略平面図である。
【符号の説明】
10  ユニット式建物
20A，30A  建物ユニット
20B   大空間用建物ユニット
40  フレーム
41  柱
42  天井梁
43  床梁
50  大空間用フレーム
51  柱
52  天井梁
53  床梁
70  補強梁
71B スリット
72  連結部材
73  スチフナ
【図１】
0003741596.tif 000002
【図２】
0003741596.tif 000003
【図３】
0003741596.tif 000004
【図４】
0003741596.tif 000005
【図５】
0003741596.tif 000006
【図６】
0003741596.tif 000007
【図７】
0003741596.tif 000008
【図８】
0003741596.tif 000009
【図９】
0003741596.tif 000010
【図１０】
0003741596.tif 000011